(57)【要約】【課題】釣り用リールのトグルばね機構において、トグルばね機構をコンパクトに収納できるようにする。【解決手段】スピニングリールの切換機構５２は、ワンウェイクラッチ５１を作動状態と非作動状態とに切り換えるためのストッパ軸５３を有している。ストッパ軸５３は、ストッパつまみ５３ａと、ストッパつまみ５３ａが固定された軸部５３ｂとを有している。軸部５３ｂは、外周の一部が径方向に突出して一体成形されたカム部材７１を有している。リール本体２のリールボディ２ａには、進退自在に設けられカム部材７１に接触する移動部材７２と、移動部材７２をカム部材７１方向に付勢するコイルばね７３とが装着される第１収納凹部２ｉ、第２収納凹部２ｊ及び第３収納凹部２ｋが形成されている。【選択図】      図２
2005021058.tif 000002
【特許請求の範囲】
【請求項１】
釣り用リールの第１部品に揺動自在に装着された第２部品を揺動方向の２つの位置に振り分ける釣り用リールのトグルばね機構であって、
前記第２部品の外周の径方向に突出して設けられ、前記第２部品とともに揺動するカム部材と、
前記第１部品に進退自在に装着され、前記カム部材に接触する移動部材と、
前記第１部品に装着され、前記移動部材を前記カム部材方向に付勢する付勢部材と、を備えた釣り用リールのトグルばね機構。
【請求項２】
前記移動部材は、前記第１部品に進退自在に装着される軸部材と、前記軸部材の先端に前記軸部材より大径に形成され前記カム部材に接触する接触部とを有している、請求項１に記載の釣り用リールのトグルばね機構。
【請求項３】
前記付勢部材は、前記軸部材の周囲に配置されたコイルばねである、請求項２に記載の釣り用リールのトグルばね機構。
【請求項４】
前記カム部材は、先端が尖った尖突形状に形成され、前記第２部品が死点に位置したとき先端が前記移動部材に接触するカム接触部を有している、請求項１から３のいずれかに記載の釣り用リールのトグルばね機構。
【請求項５】
前記釣り用リールは、スピニングリールであって、
前記第１部品は、前記スピニングリールのリール本体であって、
前記第２部品は、前記リール本体に揺動自在に装着され、前記リール本体に回転自在に装着されたロータの逆転を禁止する逆転防止機構をオン、オフする切り換え部材の揺動軸である、請求項１から４のいずれかに記載の釣り用リールのトグルばね機構。
【請求項６】
前記釣り用リールは、スピニングリールであって、
前記第１部品は、前記スピニングリールのロータであって、
前記第２部品は、前記ロータに揺動自在に装着されたベールアームである、請求項１から４のいずれかに記載の釣り用リールのトグルばね機構。
【請求項７】
前記釣り用リールは、両軸受リールであって、
前記第１部品は、前記両軸受リールのリール本体であって、
前記第２部品は、前記リール本体に揺動自在に装着され、前記リール本体に回転自在に装着されたスプールの回転伝達を係脱するクラッチの揺動軸である、請求項１から４のいずれかに記載の釣り用リールのトグルばね機構。
【発明の詳細な説明】
【０００１】
【発明の属する技術分野】
本発明は、トグルばね機構、特に、釣り用リールの第１部品に揺動自在に装着された第２部品を揺動方向の２つの位置に振り分ける釣り用リールのトグルばね機構に関する。
【０００２】
【従来の技術】
釣り用リールとしてのスピニングリールは、一般に、釣竿に装着可能なリール本体と、リール本体に回転自在に装着されたハンドルと、ロータと、スプールとを備えている。ロータは、ハンドルの回転に連動して回転して釣り糸をスプールに案内するものである。スプールは、ロータにより案内された釣り糸を外周面に巻き取るものであり、ロータの前部に前後軸方向に往復移動自在に配置されている。
【０００３】
このようなスピニングリールでは、リール本体の内部には、ロータの糸繰り出し方向の回転（逆転）を禁止、解除するための逆転防止機構のワンウェイクラッチが回転不能に装着されたものが知られている（たとえば、特許文献１参照）。このような逆転防止機構は、ワンウェイクラッチと、ワンウェイクラッチを作動状態（逆転禁止状態）と非作動状態（逆転許可状態）とに切り換える切換機構とを有している。切換機構は、リール本体に非作動姿勢と作動姿勢との間で揺動自在に装着されたストッパ軸を有している。ストッパ軸は、操作のためにリール本体を貫通して後方に突出したストッパつまみと、ストッパつまみが固定された軸部材と、軸部材の先端に固定されワンウェイクラッチに係合する係合部材と、軸部材を逆転禁止状態と逆転許可状態とにそれぞれ保持するためのトグルばね機構とを有している。
【０００４】
この種のトグルばね機構は、リール本体の内部に装着された捩じりコイルばねや、シリンダー状のケース部材に保持されたばね等の付勢部材により構成されている。このような付勢部材は、ストッパ軸方向に付勢されており、ストッパ軸を死点を超えて左右に振り分けて逆転禁止状態と逆転許可状態とを切り換えるようになっている。
【０００５】
【特許文献１】
特開平１１−８９４８５号公報
【０００６】
【発明が解決しようとする課題】
前記従来のトグルばね機構では、付勢部材は捩じりコイルばねやケース部材に保持されたばねにより構成されているので、逆転禁止状態と逆転許可状態とに切り換えるときに、リール本体内部に捩じりコイルばねやケース部材に保持されたばねが左右に移動するためのスペースが必要になる。このようにリール本体内部にスペースが必要になると、リール内部に収納される各種機構の配置に影響を及ぼしたり、リールの大型化を招聘するおそれがある。
【０００７】
本発明の課題は、釣り用リールのトグルばね機構において、トグルばね機構をコンパクトに収納できるようにすることにある。
【０００８】
【課題を解決するための手段】
発明１に係る釣り用リールのトグルばね機構は、釣り用リールの第１部品に揺動自在に装着された第２部品を揺動方向の２つの位置に振り分ける釣り用リールのトグルばね機構であって、第２部品の外周の径方向に突出して設けられ第２部品とともに揺動するカム部材と、第１部品に進退自在に装着されカム部材に接触する移動部材と、第１部品に装着され移動部材をカム部材方向に付勢する付勢部材とを備えている。
【０００９】
このトグルばね機構では、カム部材と、カム部材に接触する移動部材と、付勢部材とを有している。ここでは、カム部材により少ない揺動範囲で第２部品を揺動方向の２つの位置に振り分けることができる。したがって、従来の捩じりコイルばねやケース部材に保持されたばねを用いたトグルばね機構に比して、第１部品にトグルばね機構をコンパクトに収納することができる。
【００１０】
発明２に係る釣り用リールのトグルばね機構は、発明１に記載の機構において、移動部材は、第１部品に進退自在に装着される軸部材と、軸部材の先端に軸部材より大径に形成されカム部材に接触する接触部とを有している。この場合、軸部材より大径の接触部を設けているので、カム部材の接触が確実になる。
【００１１】
発明３に係る釣り用リールのトグルばね機構は、発明２に記載の機構において、付勢部材は、軸部材の周囲に配置されたコイルばねである。この場合、軸部材の周囲にコイルばねを配置することにより、装着部分のスペースの増加を抑えることができる。
【００１２】
発明４に係る釣り用リールのトグルばね機構は、発明１から３のいずれかに記載の機構において、カム部材は、先端が尖った尖突形状に形成され、第２部品が死点に位置したとき先端が移動部材に接触するカム接触部を有している。この場合、たとえばカム接触部を先端が尖った山形状に形成することにより、２つの位置への切り換えを容易に行える。
【００１３】
発明５に係る釣り用リールのトグルばね機構は、発明１から４のいずれかに記載の機構において、釣り用リールは、スピニングリールである。第１部品は、スピニングリールのリール本体である。第２部品は、リール本体に揺動自在に装着され、リール本体に回転自在に装着されたロータの逆転を禁止する逆転防止機構をオン、オフする切り換え部材の揺動軸である。この場合、第１部品としてリール本体に、第２部品として逆転防止機構をオン、オフする切り換え部材の揺動軸に本発明を適用することにより、リール本体にトグルばね機構をコンパクトに収納できる。
【００１４】
発明６に係る釣り用リールのトグルばね機構は、発明１から４のいずれかに記載の機構において、釣り用リールは、スピニングリールである。第１部品は、スピニングリールのロータである。第２部品は、ロータに揺動自在に装着されたベールアームである。この場合、第１部品としてロータに、第２部品としてベールアームに本発明を適用することにより、ロータにトグルばね機構をコンパクトに収納できる。
【００１５】
発明７に係る釣り用リールのトグルばね機構は、発明１から４のいずれかに記載の機構において、釣り用リールは、両軸受リールである。第１部品は、両軸受リールのリール本体である。第２部品は、リール本体に揺動自在に装着され、リール本体に回転自在に装着されたスプールの回転伝達を係脱するクラッチの揺動軸である。この場合、第１部品としてリール本体に、第２部品としてクラッチの揺動軸に本発明を適用することにより、リール本体にトグルばね機構をコンパクトに収納できる。
【００１６】
【発明の実施の形態】
本発明の第１実施形態を採用したスピニングリールは、図１に示すように、釣竿に装着可能なリール本体２と、リール本体２に左右軸回りに回転自在に装着されたハンドル組立体１と、ロータ３と、スプール４とを備えている。ロータ３は、ハンドル組立体１の回転に連動して回転して釣り糸をスプール４に案内するものであり、リール本体２の前部に前後軸回りに回転自在に支持されている。スプール４は、ロータ３により案内された釣り糸を外周面に巻き取るものであり、ロータ３の前部に前後軸方向に往復移動自在に配置されている。
【００１７】
リール本体２は、図３に示すように、リール本体２の主部を構成し側部に開口２ｃを有するリールボディ２ａ（第１部品の一例）と、リールボディ２ａから斜め上前方に一体で延びるＴ字状の竿取付脚２ｂと、開口２ｃを塞ぐようにリールボディ２ａにねじ止めされた蓋部材２ｄとを有している。
【００１８】
リールボディ２ａは、内部に開口２ｃに連なる機構装着用の空間を有しており、その空間内には、図２に示すように、ロータ３をハンドル組立体１の回転に連動して回転させるロータ駆動機構５と、スプール４を前後に移動させて釣り糸を均一に巻き取るためのオシレーティング機構６とが設けられている。
【００１９】
リールボディ２ａの前部には、図３に示すように、第１フランジ部２ｅと第１フランジ部２ｅから前方に突出する筒状部２ｆとが形成されている。第１フランジ部２ｅは、弦と円弧とからなる部分が欠落したような略半円形状であり、開口２ｃの前端に連なって形成されている。筒状部２ｆは円筒状の部分であり、その内部には、図２に示すように、ロータ３の糸繰り出し方向の回転（逆転）を禁止、解除するための逆転防止機構５０のワンウェイクラッチ５１が回転不能に装着されている。筒状部２ｆの後端部には他の部分より僅かに小径の断面視略Ｄ字状の溝部２ｈが形成されており、溝部２ｈの後面は蓋部材２ｄ装着部分が開口２ｃに連通して開放されている。
【００２０】
リールボディ２ａの上部には、図２から図４に示すように、３段の段付き凹部からなる第１収納凹部２ｉ、第２収納凹部２ｊ及び第３収納凹部２ｋが形成されている。第１収納凹部２ｉ、第２収納凹部２ｊ及び第３収納凹部２ｋは、同軸になるように形成されている。第２収納凹部２ｊは、第１収納凹部２ｉより大径に形成され、第３収納凹部２ｋは、第２収納凹部２ｊより大径に形成されている。第１収納凹部２ｉ、第２収納凹部２ｊ及び第３収納凹部２ｋには、後述するトグルばね機構７０の移動部材７２及びコイルばね７３が装着されている。
【００２１】
蓋部材２ｄは、前端部に第１フランジ部２ｅの欠落部分の弦と円弧とからなる略半円形状に形成された第２フランジ部２ｇが一体形成されている。第２フランジ部２ｇの第１フランジ部２ｅ及び筒状部２ｆの後面との接触面には、これらとの隙間をシールするための弾性体製の防水シール８１が装着されている。防水シール８１は、第２フランジ部２ｇの前面から後面にかけて第１フランジ部２ｅとの接触面と溝部２ｈの後面との接触面とに対向する位置に連続して略半円弧の帯状に形成されている。防水シール８１は、第２フランジ部２ｇの前面に形成された略半円弧状の装着溝８１ａに装着されている。
【００２２】
リール本体２の後部は、図２及び図３に示すように、たとえば、金属製又は合成樹脂製の保護カバー１３により覆われている。保護カバー１３は、リールボディ２ａ及び蓋部材２ｄの下部から背面さらに竿取付脚２ｂにかけてリール本体２の下部及び背面を覆うように配置されている。保護カバー１３は、リール本体２にねじにより着脱自在に固定されている。保護カバー１３とリール本体２との間には、合成樹脂製のスペーサ１３ａが介装されている。スペーサ１３ａは、保護カバー１３とリール本体２との隙間を埋めるために介装されている。
【００２３】
ロータ駆動機構５は、図２に示すように、ハンドル組立体１が回転不能に装着されたマスターギア１１と、このマスターギア１１に噛み合うピニオンギア１２とを有している。
【００２４】
マスターギア１１は、フェースギアであり、マスターギア軸１０と一体形成されている。マスターギア軸１０は中心に係止孔１０ａが形成された、たとえばステンレス製の中空の部材であり、その両端が、軸受１６ａ、１６ｂを介してリールボディ２ａ及び蓋部材２ｄに回転自在に支持されている。
【００２５】
ピニオンギア１２は、図２に示すように、筒状の部材であり前後方向に沿って配置されリールボディ２ａに回転自在に装着されている。ピニオンギア１２の前部１２ａはロータ３の中心部を貫通しており、この貫通部分でナット３３によりロータ３と固定されている。ピニオンギア１２は、軸方向の中間部と後端部とでそれぞれ軸受１４ａ、１４ｂを介してリールボディ２ａに回転自在に支持されている。このピニオンギア１２の内部をスプール軸１５が貫通している。ピニオンギア１２は、マスターギア１１に噛み合うとともにオシレーティング機構６にも噛み合っている。
【００２６】
ロータ３は、ピニオンギア１２に固定された円筒部３０と、円筒部３０の側方に互いに対向して設けられた第１及び第２ロータアーム３１、３２と、釣り糸をスプール４に案内するためのベールアーム４０とを有している。円筒部３０と両ロータアーム３１、３２とは、たとえばアルミニウム合金製であり一体成形されている。
【００２７】
ピニオンギア１２の前部１２ａにはナット３３が螺合しており、このナット３３によりピニオンギア１２の先端部にロータ３が回転不能に固定される。ナット３３の内周側には、軸受３５が配置されている。軸受３５は、スプール軸１５とピニオンギア１２の内面との間に隙間を確保するために設けられている。ナット３３及び軸受３５の前面には、内周側にリップを有するシール部材３６が装着されている。シール部材３６の先端はスプール軸１５に接触している。これによりスプール軸１５からリール本体２の内部への液体の浸入を防止できる。
【００２８】
ボス部４２に隣接して前述した逆転防止機構５０が配置されている。逆転防止機構５０は、図２に示すように、ワンウェイクラッチ５１と、ワンウェイクラッチ５１を作動状態（逆転禁止状態）と非作動状態（逆転許可状態）とに切り換える切換機構５２とを有している。
【００２９】
ワンウェイクラッチ５１は、ピニオンギア１２に内輪５１ａが回転不能に装着され、筒状部２ｆに外輪５１ｂが回転不能に装着された内輪遊転型のローラ形のワンウェイクラッチである。筒状部２ｆの内部において、ワンウェイクラッチ５１の前方には、リップ付きの軸シール８５が装着されている。
【００３０】
切換機構５２は、ストッパ軸５３を有している。ストッパ軸５３は、リールボディ２ａにワンウェイクラッチ５１の作動状態と非作動状態とに対応する作動姿勢と非作動姿勢との間で揺動自在に装着されている。ストッパ軸５３は、操作のためにリールボディ２ａ及び保護カバー１３を貫通して後方に突出したストッパつまみ５３ａと、ストッパつまみ５３ａが固定された軸部５３ｂ（第２部品の一例）と、軸部５３ｂの先端に固定されたカム部５３ｃとを有している。軸部５３ｂは、図２及び図４に示すように、外周の一部が径方向に突出して一体成形された後述するトグルばね機構７０のカム部材７１を有している。
【００３１】
トグルばね機構７０は、図４に拡大して示すように、ストッパ軸５３の軸部５３ｂを作動姿勢と非作動姿勢との２つの位置に振り分けるための機構である。トグルばね機構７０は、軸部５３ｂとともに揺動可能なカム部材７１と、第１収納凹部２ｉ、第２収納凹部２ｊ及び第３収納凹部２ｋに進退自在に装着されカム部材７１に接触する移動部材７２と、移動部材７２の周囲に配置され移動部材７２をカム部材７１方向に付勢するコイルばね７３とを有している。
【００３２】
カム部材７１は、図４に示すように、先端が尖った尖突形状に形成され、先端の山形部分が移動部材７２に接触可能なカム接触部７１ａを有している。
移動部材７２は、第１収納凹部２ｉ、第２収納凹部２ｊ及び第３収納凹部２ｋに進退自在に装着される軸部材７２ａと、軸部材７２ａの先端に軸部材７２ａより大径に形成されカム部材７１に接触する接触部７２ｂとを有している。接触部７２ｂの径は、第２収納凹部２ｊより大径に形成されており、このため接触部７２ｂは収納凹部２ｋ内において移動可能である。軸部材７２ａは、第１収納凹部２ｉ、第２収納凹部２ｊ及び第３収納凹部２ｋの間において進退可能である。
【００３３】
コイルばね７３は、移動部材７２の軸部材７２ａの周囲に配置され、一端が接触部７２ｂの背面側に接触し、接触部７２ｂをカム部材７１のカム接触部７１ａ方向に付勢するように配置されている。コイルばね７３の径は、移動部材７２の軸部材７２ａより大径に形成され、第２収納凹部２ｊより小径に形成されている。また、コイルばね７３の径は、第１収納凹部２ｉより大径に形成されており、コイルばね７３は、第２収納凹部２ｊ及び第３収納凹部２ｋの間で収縮可能である。
【００３４】
このトグルばね機構７０では、ワンウェイクラッチ５１が作動状態であるときは、図４に示すように、カム部材７１が左側に振り分けられ、ストッパ軸５３の軸部５３ｂが作動姿勢を維持している。ここで、ワンウェイクラッチ５１を作動状態から非作動状態へ切り換えるには、ストッパつまみ５３ａを左側位置から右側位置へ揺動させ、軸部５３ｂを同方向に揺動させる。すると、図５に示すように、カム部材７１が直立した状態となったとき、トグルばね機構７０の死点位置となっている。そして、この死点を越えてさらに右側に揺動させると、図６に示すように、カム部材７１が右側に振り分けられ、ストッパ軸５３の軸部５３ｂが非作動姿勢を維持される。このようにして、ワンウェイクラッチ５１は、作動状態から非作動状態へ切り換えられる。
【００３５】
オシレーティング機構６は、図２、図４及び図５に示すように、スプール軸１５を前後方向に移動させてスプール４を同方向に移動させるための機構である。なお、スプール軸１５は、スプール４の中心部にドラグ機構６０を介して連結されている。
【００３６】
オシレーティング機構６は、スプール軸１５の斜め下方でスプール軸に沿って配置され外周部に交差する螺旋状溝２１ａが形成された螺軸２１と、ロータ３の回転を螺軸２１に伝達するための中間ギア２３と、スプール軸１５の後端に回転不能かつ軸方向移動不能に連結されたスライダ２２と、スライダ２２をスプール軸方向に案内する２本のガイド軸２４ａ、２４ｂとを有している。中間ギア２３は、螺軸２１の先端に回転不能に固定されている。中間ギア２３はピニオンギア１２に噛み合っており、ハンドル組立体１の回転により回転するロータ３と同期して回転する。
【００３７】
スプール４は、図２に示すように、浅溝形のものであり、ロータ３の第１ロータアーム３１と第２ロータアーム３２との間に配置されている。スプール４は、スプール軸１５の先端部にドラグ機構６０を介して連結されている。スプール４は、外周に釣り糸が巻かれる糸巻胴部４ａと、糸巻胴部４ａの後部に一体で形成されたスカート部４ｂと、糸巻胴部４ａの前端に設けられたフランジ部４ｃとを有している。
【００３８】
糸巻胴部４ａは、中心にボスを有する略２重の円筒状の部材であり、外周側の円筒部分の外周面はスプール軸１５と平行な周面で構成されている。糸巻胴部４ａは、ボスに装着された２つの軸受５６、５７によりスプール軸１５に回転自在に装着されている。スカート部４ｂは、糸巻胴部４ａの後端部から径方向に拡がった後に後方に延びる有底円筒部材である。フランジ部４ｃは、糸巻胴部４ａの前端部から径方向外方に一体的に形成された立ち上がり部４ｄと、立ち上がり部４ｄに着脱自在に装着された金属又はセラミック製のリング部４ｅとを有している。リング部４ｅは、糸巻胴部４ａの内周面にねじ込まれたフランジ固定部材４ｆにより立ち上がり部４ｄに固定されている。スプール４は、スプール軸１５に装着された位置決めワッシャ５４に当接して位置決めされている。
【００３９】
このようなスピニングリールのトグルばね機構７０は、カム部材７１と、カム部材７１に接触する移動部材７２と、コイルばね７３とを有している。ここでは、カム部材７１を設けることにより、少ない揺動範囲でストッパ軸５３の軸部５３ｂを作動姿勢と非作動姿勢との２つの位置に振り分けることができる。したがって、従来の捩じりコイルばねやケース部材に保持されたばねを用いたトグルばね機構に比して、リールボディ２ａの第１収納凹部２ｉ、第２収納凹部２ｊ及び第３収納凹部２ｋにトグルばね機構７０をコンパクトに収納できる。
【００４０】
〔他の実施形態〕
（ａ）  前記実施形態では、スピニングリールのワンウェイクラッチ５１を作動状態と非作動状態とに切り換える切換機構５２であるストッパ軸５３の軸部５３ｂを例にあげて説明したが、これに限定されるものではなく、たとえばスピニングリールのロータに揺動自在に装着されたベールアームであってもよい。また、レバードラグ機構を有するスピニングリールにおいて、レバードラグ機構の所定制動状態と所定制動解除状態とを切り換えるレバー部材であってもよい。
【００４１】
（ｂ）  前記実施形態では、スピニングリールを例にあげて説明したが、これに限定されるものではなく、両軸受リールにも本発明を適用できる。
本発明の他の実施形態を採用した両軸受リールは、図７及び図８に示すように、リール本体１０１と、リール本体１０１に回転自在に装着されたハンドル組立体１０２と、ハンドル組立体１０２のリール本体１０１側に配置されたスタードラグ１０３と、リール本体１０１の内部に設けられハンドル組立体１０２の回転により回転する糸巻き用のスプール１０４とを備えている。ハンドル組立体１０２は、ハンドルアーム１０６と、ハンドルアーム１０６の一端にハンドルアーム１０６の一端部と直交する軸回りに回転自在に装着されたハンドル把手１０７とを有している
リール本体１０１は、左右１対の側板１１０、１１１とを有するリールフレーム１１２と、リールフレームの両側方を覆う１対の側カバー１１３、１１４とを有している。側板１１１には、図示しないクラッチ機構をオン、オフするためのクラッチレバー１４０が揺動自在に装着されている。クラッチレバー１４０には、リール本体１０１内に設けられた図示しないトグルばね機構が設けられており、このトグルばね機構によりクラッチ機構のオン、オフを切り換える。なお、トグルばね機構の構成は、前記実施形態と同様であるので省略する。
【００４２】
この両軸受リールでは、実施形態と同様に、リール本体１０１にトグルばね機構をコンパクトに収納できる。
（ｃ）  前記実施形態では、ワンウェイクラッチ５１が作動状態であるときはカム部材７１が左側に振り分けられ、ワンウェイクラッチ５１が非作動状態であるときはカム部材７１が右側に振り分けられていたが、ワンウェイクラッチ５１が作動状態であるときはカム部材７１を右側に振り分け、ワンウェイクラッチ５１が非作動状態であるときはカム部材７１を左側に振り分けるようにしてもよい。
【００４３】
（ｄ）  前記実施形態では、リールボディ２ａには、３段の段付き凹部からなる第１収納凹部２ｉ、第２収納凹部２ｊ及び第３収納凹部２ｋが形成されていたが、凹部の構成はこれに限定されるものではない。
【００４４】
【発明の効果】
本発明によれば、釣り用リールのトグルばね機構において、カム部材と、カム部材に接触する移動部材と、付勢部材とを有しているので、トグルばね機構をコンパクトに収納できる。
【図面の簡単な説明】
【図１】本発明の一実施形態を採用したスピニングリールの側面図。
【図２】前記スピニングリールの側面断面図。
【図３】リール本体の分解斜視図。
【図４】非作動姿勢におけるトグルばね機構の拡大断面図。
【図５】死点におけるトグルばね機構の拡大断面図。
【図６】作動姿勢におけるトグルばね機構の拡大断面図。
【図７】本発明の他の実施形態を採用した両軸受リールの斜視図。
【図８】前記両軸受リールの側面図。
【符号の説明】
２  リール本体
２ａ  リールボディ
２ｉ  第１収納凹部
２ｊ  第２収納凹部
２ｋ  第３収納凹部
５０  逆転防止機構
５１  ワンウェイクラッチ
５２  切換機構
５３  ストッパ軸
５３ａ  ストッパつまみ
５３ｂ  軸部
５３ｃ  カム部
７０  トグルばね機構
７１  カム部材
７１ａ  カム接触部
７２  移動部材
７２ａ  軸部材
７２ｂ  接触部
７３  コイルばね
【図１】
2005021058.tif 000003
【図２】
2005021058.tif 000004
【図３】
2005021058.tif 000005
【図４】
2005021058.tif 000006
【図５】
2005021058.tif 000007
【図６】
2005021058.tif 000008
【図７】
2005021058.tif 000009
【図８】
2005021058.tif 000010